(57)【要約】【課題】スイッチング回路の省電力化を行えるようにすることを目的とする。【解決手段】スイッチング電源回路を備えるプリンター１であって、スイッチング電源回路は、スイッチング回路を備える１次側回路と、トランスにより１次側回路に結合され、負荷に電力を供給する２次側回路と、２次側回路の出力電圧とシャントレギュレーターの基準電圧との比較結果をスイッチング回路にフィードバックするフォトカプラーと、フォトカプラーにＰＳＣ信号を入力する信号入力回路と、プリンターの電源投入時におけるスイッチング回路のスイッチング信号のパルス幅を設定するソフトスタート回路と、ＰＳＣ信号を遅延させる遅延回路と、を備える。【選択図】図２
2019205220.tif 000002
【特許請求の範囲】
【請求項１】
電源回路を備える印刷装置であって、
前記電源回路は、
スイッチング回路を備える１次側回路と、
トランスにより前記１次側回路に結合され、負荷に電力を供給する２次側回路と、
前記２次側回路の出力電圧と基準電圧回路の基準電圧との比較結果を前記スイッチング回路にフィードバックするフィードバック回路と、
前記フィードバック回路に制御信号を入力する制御回路と、
前記印刷装置の電源投入時における前記スイッチング回路のスイッチング信号を設定するソフトスタート回路と、
前記制御信号を遅延させる遅延回路と、を備える、
印刷装置。
【請求項２】
前記スイッチング回路は、スイッチング素子と、前記スイッチング素子に前記スイッチング信号を出力するスイッチング制御回路とを備え、
前記ソフトスタート回路は、前記印刷装置の電源投入時における前記スイッチング信号の電圧を設定する、
請求項１に記載の印刷装置。
【請求項３】
前記フィードバック回路は、前記２次側回路の出力電圧と前記基準電圧との比較結果に対応する電圧を前記スイッチング回路に出力し、
前記遅延回路は、前記印刷装置の電源投入時に、前記フィードバック回路から前記スイッチング回路に出力される電圧の変化を遅延させる、
請求項１または２に記載の印刷装置。
【請求項４】
前記制御回路は、前記印刷装置が省電力状態または待機状態に移行するときに、前記フィードバック回路から前記スイッチング回路に出力される電圧を低下させるように前記制御信号を出力する、
請求項３に記載の印刷装置。
【請求項５】
スイッチング回路を備える１次側回路と、負荷に電力を供給する２次側回路とを有する電源回路を備える印刷装置の制御方法であって、
ソフトスタート回路により前記印刷装置の電源投入時の前記スイッチング回路のスイッチング信号の特性を設定し、
前記２次側回路の出力電圧と基準電圧回路の基準電圧との比較結果をフィードバック回路から前記スイッチング回路にフィードバックし、
前記フィードバック回路に制御信号に出力することによって、前記スイッチング回路へのフィードバックを制御し、
前記フィードバック回路に対する前記制御信号の出力を遅延回路により遅延させる、
印刷装置の制御方法。
【請求項６】
前記印刷装置が省電力状態または待機状態に移行するときに、前記フィードバック回路から前記スイッチング回路に出力される電圧を低下させるように前記制御信号を出力する、
請求項５に記載の印刷装置の制御方法。
【発明の詳細な説明】
【技術分野】
【０００１】
本発明は、印刷装置、及び、印刷装置の制御方法に関する。
【背景技術】
【０００２】
従来、スイッチング回路を駆動するスイッチング信号を制御する電源回路が知られている（例えば、特許文献１参照）。特許文献１は、具備するスイッチング回路を保護するため、電源投入時にスイッチング信号のパルス幅を徐々に広げていく電源回路を開示する。
【先行技術文献】
【特許文献】
【０００３】
【特許文献１】特開平８−３１７６３７号公報
【発明の概要】
【発明が解決しようとする課題】
【０００４】
一般に、特許文献１に記載のような電源回路は、１次側と２次側とに回路を備え、２次側回路の出力電圧と基準電圧との比較結果をスイッチング回路にフィードバックし、２次側回路の出力電圧を制御する。この種の電源回路は、比較結果をフィードバックするフィードバック回路に制御信号を入力してフィードバックを制御し、２次側回路の出力電圧を制御する構成とされる場合がある。しかしながら、このような構成では、制御信号によりスイッチング信号の電圧を低くすると、電源投入時にフィードバック信号が立ち上がるタイミングでスイッチング信号の電圧が不足する状態が生じ、スイッチング回路のスイッチング動作が不安定になってスイッチング回路で消費電力が増大することがあった。
そこで、本発明は、スイッチング回路の省電力化を行えるようにすることを目的とする。
【課題を解決するための手段】
【０００５】
上記課題を解決するために、本発明は、電源回路を備える印刷装置であって、前記電源回路は、スイッチング回路を備える１次側回路と、トランスにより前記１次側回路に結合され、負荷に電力を供給する２次側回路と、前記２次側回路の出力電圧と基準電圧回路の基準電圧との比較結果を前記スイッチング回路にフィードバックするフィードバック回路と、前記フィードバック回路に制御信号を入力する制御回路と、前記印刷装置の電源投入時における前記スイッチング回路のスイッチング信号を設定するソフトスタート回路と、前記制御信号を遅延させる遅延回路と、を備える。
本発明によれば、印刷装置の電源投入時におけるスイッチング回路へのフィードバックを遅延回路により遅延させることで、スイッチング信号が十分な電圧レベルになってからフィードバックに対応したスイッチング動作をスイッチング回路に行わせることができる。したがって、制御信号によりスイッチング信号の電圧を低くしても、電源投入時のスイッチング動作が安定し、スイッチング回路での消費電力を抑制できるため、スイッチング回路の省電力化を行うことができる。
【０００６】
また、本発明は、前記スイッチング回路は、スイッチング素子と、前記スイッチング素子に前記スイッチング信号を出力するスイッチング制御回路とを備え、前記ソフトスタート回路は、前記印刷装置の電源投入時における前記スイッチング信号の電圧を設定する。
本発明によれば、スイッチング信号の電圧レベルが、スイッチング素子のスイッチング動作に十分な電圧レベルになってからフィードバックに対応したスイッチング動作をスイッチング素子に行わせることができる。したがって、スイッチング素子での消費電力を抑制でき、スイッチング回路の省電力化を行うことができる。また、スイッチング素子での消費電力を抑制できるため、消費電力による影響をスイッチング素子に与えることを抑制できスイッチング素子を保護できる。
【０００７】
また、本発明は、前記フィードバック回路は、前記２次側回路の出力電圧と前記基準電圧との比較結果に対応する電圧を前記スイッチング回路に出力し、前記遅延回路は、前記印刷装置の電源投入時に、前記フィードバック回路から前記スイッチング回路に出力される電圧の変化を遅延させる。
本発明によれば、印刷装置の電源投入時にフィードバック回路からスイッチング回路に出力される電圧の変化を遅延させることができるため、スイッチング信号がスイッチング回路のスイッチング動作に十分な電圧レベルになるまでの期間を確保できる。そのため、より確実に、フィードバックに対応したスイッチング動作をスイッチング回路に行わせることができる。
【０００８】
また、本発明は、前記制御回路は、前記印刷装置が省電力状態または待機状態に移行するときに、前記フィードバック回路から前記スイッチング回路に出力される電圧を低下させるように前記制御信号を出力する。
本発明によれば、フィードバック回路からスイッチング回路に出力される電圧を低下させるように制御信号を出力することで、容易に印刷装置を省電力状態または待機状態に移行させることができる。また、印刷装置が省電力状態または待機状態から復帰する際にスイッチング信号の電圧が低くても、スイッチング回路での消費電力を低減できる。そのため、省電力状態または待機状態において更なる省電力化を図ることができる。
【０００９】
また、上記課題を解決するために、本発明は、スイッチング回路を備える１次側回路と、負荷に電力を供給する２次側回路とを有する電源回路を備える印刷装置の制御方法であって、ソフトスタート回路により前記印刷装置の電源投入時の前記スイッチング回路のスイッチング信号の特性を設定し、前記２次側回路の出力電圧と基準電圧回路の基準電圧との比較結果をフィードバック回路から前記スイッチング回路にフィードバックし、前記フィードバック回路に制御信号に出力することによって、前記スイッチング回路へのフィードバックを制御し、前記フィードバック回路に対する前記制御信号の出力を遅延回路により遅延させる。
本発明によれば、印刷装置の電源投入時におけるスイッチング回路へのフィードバックを遅延させることで、スイッチング信号が十分な電圧レベルになってからフィードバックに対応したスイッチング動作を行うことができる。したがって、スイッチング信号の電圧を低くしても電源投入時のスイッチング動作が安定し、無駄な電力が消費されることを抑制できるため、スイッチング回路の省電力化を行うことができる。
【００１０】
また、本発明は、前記印刷装置が省電力状態または待機状態に移行するときに、前記フィードバック回路から前記スイッチング回路に出力される電圧を低下させるように前記制御信号を出力する。
本発明によれば、フィードバック回路からスイッチング回路に出力される電圧を低下させるように制御信号を出力することで、容易に印刷装置を省電力状態または待機状態に移行させることができる。また、印刷装置が省電力状態または待機状態から復帰する際にスイッチング信号の電圧が低くても、スイッチング回路での消費電力を低減できる。そのため、省電力状態または待機状態において更なる省電力化を図ることができる。
【図面の簡単な説明】
【００１１】
【図１】プリンターの構成を示す図。
【図２】スイッチング電源回路の構成を示す図。
【図３】電圧の時間変化の一例を示すタイミングチャート。
【図４】電圧の時間変化の一例を示すタイミングチャート。
【発明を実施するための形態】
【００１２】
図１は、プリンター１（印刷装置）の構成を示す図である。
【００１３】
図１に示すように、プリンター１は、スイッチング電源回路１０（電源回路）と、ＤＣＤＣコンバータ回路１１と、印刷制御回路１２とを備える。
【００１４】
スイッチング電源回路１０は、商用交流電源２にケーブル３を介して接続される。スイッチング電源回路１０は、例えば、１００ボルトの交流電圧が入力され、整流、平滑、及び、電圧変換し、４２ボルトの直流電圧を負荷６（図２参照）に出力する。スイッチング電源回路１０は、商用交流電源２に接続するケーブル３に対し、着脱可能に構成される。スイッチング電源回路１０の詳細については、後に説明する。なお、本実施形態において負荷６とは、少なくとも、ＤＣＤＣコンバータ回路１１、印刷制御回路１２、ロジック回路１３、及び、印刷部１４のいずれか、または、これらをまとめた総称のことを示す。
【００１５】
ＤＣＤＣコンバータ回路１１は、入力された電圧を降圧し、降圧した電力を後述するロジック回路１３に供給する。例えば、ＤＣＤＣコンバータ回路１１は、４２ボルトを３．３ボルトや、５ボルト等の４２ボルトより低い電圧に降圧し、降圧した電力をロジック回路１３に供給する。
【００１６】
印刷制御回路１２は、スイッチング電源回路１０から入力された電力に基づいて、印刷部１４に対する電力の供給を制御する回路である。例えば、印刷制御回路１２は、４２ボルトの電力が入力され、入力された電力に基づいて、印刷部１４の各部に対する電力の供給を制御する。
【００１７】
図１に示すように、プリンター１は、ロジック回路１３と、印刷部１４と、入力部１５とを備える。
【００１８】
ロジック回路１３は、ＣＰＵ１３１、ＲＯＭ１３２、及び、ＲＡＭ１３３を備える。ロジック回路１３は、ＣＰＵ１３１がＲＯＭ１３２に記憶された制御プログラムをＲＡＭ１３３に読み出して処理を実行するように、ハードウェア及びソフトウェアの協働により処理を実行する。ＲＯＭ１３２とＲＡＭ１３３とは、種々のデータを記憶する記憶部を構成する。
【００１９】
ＣＰＵ１３１は、演算処理を実行するプロセッサーであり、ＲＯＭ１３２に記憶された制御プログラム等を読み出して実行することによりプリンター１の各部を制御する。
ＲＯＭ１３２は、ＣＰＵ１３１が実行する制御プログラムの他、各種のデータを不揮発的に記憶する。
ＲＡＭ１３３は、ＣＰＵ１３１のワークエリアとして機能し、各種データを一時的に記憶する。
【００２０】
印刷部１４は、搬送モーター１４１と、キャリッジ移動モーター１４２と、カッター駆動モーター１４３と、ヘッド駆動回路１４４とを備える。
【００２１】
搬送モーター１４１は、搬送ローラー１４１ａを回転させるモーターであり、搬送ローラー１４１ａと接続する。搬送ローラー１４１ａは、印刷媒体を搬送方向に搬送させるローラーである。ロジック回路１３は、搬送モーター１４１に駆動信号を出力し、搬送モーター１４１を駆動する。搬送モーター１４１の駆動に応じて搬送ローラー１４１ａが回転し、搬送ローラー１４１ａの回転に応じて、印刷媒体は、搬送方向に搬送される。
【００２２】
キャリッジ移動モーター１４２は、キャリッジ１４２ａを印刷媒体の搬送方向と交差する走査方向へ移動させるモーターであり、キャリッジ１４２ａと接続する。キャリッジ１４２ａは、印刷媒体の搬送方向と交差する走査方向に延びたキャリッジ軸（不図示）に支持され、キャリッジ軸（不図示）に沿って、走査方向に印刷ヘッド１４４ａを走査する。ロジック回路１３は、キャリッジ移動モーター１４２に駆動信号を出力し、キャリッジ移動モーター１４２を駆動する。キャリッジ移動モーター１４２の駆動に応じて、キャリッジ１４２ａに搭載された印刷ヘッド１４４ａは、走査方向へ移動する。
【００２３】
カッター駆動モーター１４３は、可動刃１４３ａを移動させるモーターであり、可動刃１４３ａと接続する。ロジック回路１３は、カッター駆動モーター１４３に駆動信号を出力し、カッター駆動モーター１４３を駆動する。カッター駆動モーター１４３の駆動に応じて可動刃１４３ａが移動し、印刷媒体は、切断される。
【００２４】
ヘッド駆動回路１４４は、印刷ヘッド１４４ａと接続する。印刷ヘッド１４４ａは、インクジェットヘッドであり、複数色（例えば、ＣＹＭＫの４色）のノズル列を備える。印刷ヘッド１４４ａは、図示しないインクカートリッジからインクの供給を受けて、各ノズル列に設けられたノズルからインクを吐出して印刷媒体の印刷面にドットを形成して文字や画像等を印刷する。ヘッド駆動回路１４４は、ロジック回路１３の制御で、印刷ヘッド１４４ａのノズルに対応して設けられたアクチュエーターを駆動し、ノズルからインクを吐出させる。ノズルからのインクの吐出に応じて、印刷媒体の印刷面には、ドットが形成される。
【００２５】
入力部１５は、電源スイッチ１５１を含む操作スイッチや、タッチパネル等の入力手段（不図示）を備え、ユーザーの入力手段に対する操作を検出し、ロジック回路１３に出力する。ロジック回路１３は、入力部１５からの入力に基づいて、入力手段に対する操作に対応する処理を実行する。
【００２６】
本実施形態では、プリンター１の動作状態は、通常状態と、待機状態と、省電力状態との３通りである。
【００２７】
通常状態とは、プリンター１の各部への電力の供給を維持し、プリンター１が印刷等の動作を実行可能な動作状態を示す。
【００２８】
待機状態とは、ユーザーからの印刷開始の指示を待つ動作状態を示す。待機状態では、例えば、印刷部１４が備える搬送モーター１４１等の各種モーターへの電力の供給が停止される。プリンター１は、ユーザーの操作に基づいて待機状態への移行の指示を入力部１５が検出した場合や、通常状態において印刷等の動作を実行しない期間が所定期間経過した場合等に、通常状態から待機状態へ移行する。待機状態は、通常状態より消費電力を抑えた動作状態である。
【００２９】
省電力状態とは、待機状態より更に消費電力を抑えた動作状態である。省電力状態では、プリンター１の構成部分のうち消費電力の大きい構成部分への電力供給が停止され、プリンター１の消費電力が、より抑えられた動作状態となる。例えば、省電力状態においてＲＯＭ１３２、及び、ＲＡＭ１３３への電力供給は、停止する。プリンター１は、ユーザーの電源スイッチ１５１に対する操作に基づいて省電力状態への移行の指示を入力部１５が検出した場合に、通常状態、又は待機状態から省電力状態へ移行する。
【００３０】
このようにプリンター１の動作状態は、プリンター１の消費電力が異なる。そのため、スイッチング電源回路１０は、少なくとも、通常状態と、待機状態及び省電力状態とで負荷６側に出力する出力電圧を異ならせている。例えば、スイッチング電源回路１０は、プリンター１の動作状態が通常状態の場合、４２ボルトの出力電圧を負荷６側に出力し、プリンター１の動作状態が省電力状態の場合、１．５ボルト〜３ボルトの出力電圧を負荷６側に出力する。なお、負荷６側とは、電力供給流路においてスイッチング電源回路１０より下流側を示す。
【００３１】
プリンター１は、少なくとも、通常状態と、待機状態または省電力状態とで負荷６側に出力する出力電圧Ｖｏｕｔ（図２参照）を異ならせるために、図２に示すスイッチング電源回路１０を具備する。
【００３２】
図２は、スイッチング電源回路１０の構成を示す図である。
【００３３】
図２に示すように、スイッチング電源回路１０は、１次側回路５Ａと、２次側回路５Ｂとを有する。スイッチング電源回路１０は、１次側回路５Ａに商用交流電源２が接続され、２次側回路５Ｂに負荷６が接続される。スイッチング電源回路１０は、商用交流電源２から１次側回路５Ａに入力される入力電圧Ｖｉｎを、出力電圧Ｖｏｕｔに変換し、出力電圧Ｖｏｕｔを負荷６に出力する。
【００３４】
１次側回路５Ａは、商用交流電源２に接続される整流回路Ｓ１と、電解コンデンサーＣ１と、トランスＴＲの１次巻線Ｌ１と、スイッチング回路Ｋ１とを有する。１次側回路５Ａでは、交流電圧である入力電圧Ｖｉｎが、整流回路Ｓ１、及び、電解コンデンサーＣ１によって整流、及び、平滑化される。１次側回路５Ａは、スイッチング回路Ｋ１のスイッチング動作によって、１次巻線Ｌ１に印加される電圧が制御されるスイッチング方式の回路として構成される。
【００３５】
スイッチング回路Ｋ１は、制御ＩＣ（Integrated Circuit）５１と、トランジスターＱ１（スイッチング素子）とを備える。本実施形態では、トランジスターＱ１にＦＥＴを用いる。制御ＩＣ５１は、フォトカプラーＰｃの出力に応じてトランジスターＱ１に出力するスイッチング信号のパルス幅を制御することにより、トランジスターＱ１のオンオフの期間を制御し、出力電圧Ｖｏｕｔを制御する。制御ＩＣ５１は、フィードバック信号の電圧（以下、「フィードバック電圧」という。）が印加されるＦＢ端子５１ａと、トランジスターＱ１のゲートにパルス信号であるスイッチング信号を出力するＯＵＴ端子５１ｂと、出力電流の検出結果を示す検出電圧が印加されるＣＳ端子５１ｃを備える。
【００３６】
制御ＩＣ５１は、トランジスターＱ１のスイッチング動作を駆動するスイッチング信号のパルス幅（特性）を設定するソフトスタート回路５１１と、トランジスターＱ１にスイッチング信号を出力するスイッチング制御回路５１２とを含んで構成される。
ソフトスタート回路５１１は、例えば、抵抗やコンデンサー等を具備し、スイッチング信号のパルス幅を設定することによりオーバーシュートを防止すると共に、出力するスイッチング信号の電圧を設定する。本実施形態のソフトスタート回路５１１は、ＦＢ端子５１ａを含んで構成される。
スイッチング制御回路５１２は、例えば三角波形発生回路やコンパレーター等を備え、トランジスターＱ１のゲートにＯＵＴ端子５１ｂから、ソフトスタート回路５１１により設定されたスイッチング信号を出力し、トランジスターＱ１にスイッチング動作を行わせる。本実施形態のスイッチング制御回路５１２は、ＯＵＴ端子５１ｂを含んで構成される。
【００３７】
２次側回路５Ｂは、スイッチング電源回路１０において、トランスＴＲにより１次側回路５Ａと結合する回路である。２次側回路５Ｂは、トランスＴＲの２次側の巻線である２次巻線Ｌ２と、整流素子Ｓ２と、電解コンデンサーＣ２とを含む。１次側回路５Ａの１次巻線Ｌ１に電圧が印加されると、２次巻線Ｌ２には、１次巻線Ｌ１の巻線数と２次巻線Ｌ２の巻線数との比に応じた電圧が誘起される。２次巻線Ｌ２に誘起された電圧は、整流素子Ｓ２、及び電解コンデンサーＣ２によって、整流、及び平滑化され、負荷６に出力される。
【００３８】
スイッチング電源回路１０では、スイッチング回路Ｋ１のスイッチング動作によって、１次巻線Ｌ１に印加される電圧が変化すると、２次巻線Ｌ２に誘起される電圧が変化し、２次側回路５Ｂの出力電圧Ｖｏｕｔが変化する。
【００３９】
２次側回路５Ｂは、出力端子６１と接続する出力ライン６１ａと、接地端子６２と接続する接地ライン６２ａとの間に、抵抗Ｒ１、及び抵抗Ｒ２を備える。抵抗Ｒ１と抵抗Ｒ２とは、直列に接続する。抵抗Ｒ１は、一端が出力ライン６１ａと接続し、他端がノードＰ１において抵抗Ｒ２の一端と接続する。抵抗Ｒ２は、一端がノードＰ１において抵抗Ｒ１と接続し、他端が接地ライン６２ａと接続する。
【００４０】
ノードＰ１には、シャントレギュレーターＳＲ（基準電圧回路）が接続する。シャントレギュレーターＳＲは、２．５ボルト等の所定の基準電圧を生成する。シャントレギュレーターＳＲは、例えばＩＣで構成され、２次巻線Ｌ２の両端の電圧が抵抗Ｒ１と抵抗Ｒ２とにより分圧されたノードＰ１の電圧（以下、「Ｐ１電圧」と表現する）と、生成した基準電圧とを比較する。シャントレギュレーターＳＲは、カソードが抵抗Ｒ３の一端と接続し、アノードが接地ライン６２ａと接続する。
【００４１】
抵抗Ｒ３は、シャントレギュレーターＳＲの電流を制限するための抵抗であり、一端がシャントレギュレーターＳＲのカソードと接続し、他端がロジック回路１３から後述するＰＳＣ信号が入力される信号入力ライン６３ａと接続する。一般に、シャントレギュレーターＳＲは、動作（基準電圧の生成や、比較等）の精度を担保するため、所定の電流値以上の電流値（例えば、１ｍＡ）の電流供給を受けることが必要である。そのため、抵抗Ｒ９の抵抗値は、シャントレギュレーターＳＲの動作の精度を担保するために十分な電流値の電流をシャントレギュレーターＳＲに供給可能な抵抗値である。
【００４２】
シャントレギュレーターＳＲのカソードと接地ライン６２ａとの間には、フォトカプラーＰｃ（フィードバック回路）の発光ダイオードＤｐが接続される。
【００４３】
シャントレギュレーターＳＲは、２次側回路５Ｂ側の出力電圧Ｖｏｕｔが上昇してＰ１電圧が基準電圧を上回った場合、カノードからアノードの方向に電流を流す。これにより、シャントレギュレーターＳＲは、フォトカプラーＰｃを構成する発光ダイオードＤｐに電流を流す。そして、発光ダイオードＤｐに電流が流れると、発光ダイオードＤｐは、発光する。発光ダイオードＤｐから発光された光は、発光ダイオードＤｐと共にフォトカプラーＰｃを構成するフォトトランジスターＱｐによって受光される。そして、フォトトランジスターＱｐが、発光ダイオードＤｐから発光された光を受光すると、フォトトランジスターＱｐのコレクターとエミッターとの間には、フィードバック電流が流れる。フォトトランジスターＱｐにフィードバック電流が流れると、制御ＩＣ５１のＦＢ端子５１ａには、フィードバック電流に基づくフィードバック信号の電圧（以下、「フィードバック電圧」という。）が印加される。制御ＩＣ５１は、ＦＢ端子５１ａに印加されるフィードバック電圧に基づいて、１次巻線Ｌ１に印加される電圧が降下するように、トランジスターＱ１に出力するスイッチング信号のオンのパルス幅を制御し（例えば、パルス幅を狭くする）、出力電圧Ｖｏｕｔを降下させる。
【００４４】
一方、シャントレギュレーターＳＲは、出力電圧Ｖｏｕｔが降下してＰ１電圧が基準電圧を下回る場合、フォトカプラーＰｃに電流を流さない。このため、フォトトランジスターＱｐのコレクター・エミッター間には、フィードバック電流が流れない。これにより、制御ＩＣ５１は、１次巻線Ｌ１に印加される電圧が減少するようにトランジスターＱ１に出力するスイッチング信号のオンのパルス幅を制御し（例えば、パルス幅を広くする）、出力電圧Ｖｏｕｔを上昇させる。
【００４５】
なお、フォトカプラーＰｃがフィードバック電圧をＦＢ端子５１ａに印加すること、及び、フィードバック電圧をＦＢ端子５１ａに印加しないことは、Ｐ１電圧とシャントレギュレーターＳＲの基準電圧との比較結果を１次側回路５Ａにフィードバックすることに相当する。
【００４６】
このように、シャントレギュレーターＳＲは、Ｐ１電圧が基準電圧を上回る場合に、出力電圧Ｖｏｕｔを降下させ、Ｐ１電圧が基準電圧を下回る場合に出力電圧Ｖｏｕｔを上昇させる。つまり、シャントレギュレーターＳＲは、Ｐ１電圧と基準電圧とが等しくなるよう出力電圧Ｖｏｕｔを制御することで、出力電圧Ｖｏｕｔが一定の電圧となるように制御する定電圧制御を実行する。
【００４７】
フォトカプラーＰｃの発光ダイオードＤｐには、信号入力回路Ｋ２（制御回路）が接続する。信号入力回路Ｋ２は、突入電流防止用の抵抗Ｒ５と、後述する遅延回路Ｋ３とを有している。信号入力回路Ｋ２は、ロジック回路１３と接続する入力端子６３と接続し、入力端子６３を介してロジック回路１３からＰＳＣ信号（制御信号）が入力される。信号入力回路Ｋ２は、ロジック回路１３から入力端子６３を介して入力されたＰＳＣ信号を、フォトカプラーＰｃの発光ダイオードＤｐに出力することで、２次側回路５Ｂの出力電圧Ｖｏｕｔを制御する。
【００４８】
信号入力ライン６３ａと接地ライン６２ａとの間には、スイッチＳＷ１、ＳＷ２が並列に配置される。スイッチＳＷ１は、ロジック回路１３の制御でオンオフするスイッチであり、例えば、トランジスター等により構成される。一方、スイッチＳＷ２は、電源スイッチ１５１であり、メカニカルスイッチである。図２では、スイッチＳＷ１、ＳＷ２を信号入力回路Ｋ２と別体として説明しているが、スイッチＳＷ１、ＳＷ２は、信号入力回路Ｋ２を構成してもよい。
【００４９】
スイッチＳＷ１、ＳＷ２の少なくともいずれかが、オンになると、入力端子６３は、接地端子６２と短絡する。これにより、入力端子６３から信号入力ライン６３ａに入力されるＰＳＣ信号は「Ｌｏｗ」レベルとなり、信号入力回路Ｋ２は、この電圧レベルのＰＳＣ信号をフォトカプラーＰｃに出力する。フォトカプラーＰｃは、「Ｌｏｗ」レベルのＰＳＣ信号が入力されると、発光ダイオードＤｐに電流が流れる。これにより、フォトカプラーＰｃを構成する発光ダイオードＤｐは、発光する。そして、上述したように、フォトトランジスターＱｐが、発光ダイオードＤｐから発光された光を受光し、フォトトランジスターＱｐのコレクターとエミッターとの間には、フィードバック電流が流れる。そして、ＦＢ端子５１ａにフィードバック電圧が低下し、制御ＩＣ５１のソフトスタート回路５１１は、ＦＢ端子５１ａに印加されるフィードバック電圧に基づいて、１次巻線Ｌ１に印加される電圧が減少するように、トランジスターＱ１に出力するオンのパルス幅を制御し、出力電圧Ｖｏｕｔを降下させる。
【００５０】
一方で、スイッチＳＷ１、ＳＷ２の両者が、オフであると、入力端子６３は、接地端子６２と短絡しない。これにより、入力端子６３から信号入力ライン６３ａに入力されるＰＳＣ信号は「Ｈｉｇｈ」レベルとなり、信号入力回路Ｋ２は、この電圧レベルのＰＳＣ信号をフォトカプラーＰｃに出力する。フォトカプラーＰｃは、「Ｈｉｇｈ」レベルのＰＳＣ信号が入力され、抵抗Ｒ３に流れる電流だけで発光ダイオードＤｐに電流が流れる。これにより、フォトカプラーＰｃを構成する発光ダイオードＤｐは、発光する。そして、上述したように、フォトトランジスターＱｐが、発光ダイオードＤｐから発光された光を受光し、フォトトランジスターＱｐのコレクターとエミッターとの間には、フィードバック電流が流れる。そして、ＦＢ端子５１ａにフィードバック電圧が印加され、制御ＩＣ５１は、ＦＢ端子５１ａに印加されるフィードバック電圧に基づいて、トランジスターＱ１に出力するオンのパルス幅を制御し、出力電圧Ｖｏｕｔを一定にさせる。
【００５１】
例えば、プリンター１の動作状態が待機状態である場合、ロジック回路１３は、スイッチＳＷ１をオンにして、入力端子６３から入力されるＰＳＣ信号の電圧レベルを「Ｌｏｗ」レベルにする。また、例えば、プリンター１の動作状態が省電力状態である場合、ＰＳＣ信号の電圧レベルは、スイッチＳＷ２がオンにされていることにより「Ｌｏｗ」レベルになる。なお、スイッチＳＷ２がオンである場合、電源スイッチ１５１はオフである。この電圧レベルのＰＳＣ信号により、信号入力回路Ｋ２は、上述したように２次側回路５Ｂの出力電圧Ｖｏｕｔが降下するため、出力電圧Ｖｏｕｔを低電圧にすることができる。本実施形態では、低電圧とは、通常状態におけるスイッチング電源回路１０の出力電圧Ｖｏｕｔ（以下、「通常状態出力電圧」という）より低い電圧であり、より詳細には、待機状態または省電力状態においてスイッチング電源回路１０が出力する出力電圧Ｖｏｕｔのことである。
【００５２】
なお、ソフトスタート回路５１１は、ＦＢ端子５１ａに印加されるフィードバック電圧の減少に応じてスイッチング信号の電圧を下げ、トランジスターＱ１のゲート電圧を降下させる。出力電圧Ｖｏｕｔを低電圧にしている間は、スイッチング信号のオンのパルス幅が狭い。このため、トランジスターＱ１のゲートには、オンの動作のときに、オンの動作に必要最小限の電圧が印加されればよい。そのため、出力電圧Ｖｏｕｔを低電圧にしている間は、上述のようにゲート電圧を降下させることで、不必要にトランジスターＱ１で電力が消費させることを抑制できる。
【００５３】
信号入力回路Ｋ２が具備する遅延回路Ｋ３は、抵抗Ｒ６とコンデンサーＣ３とを備える。抵抗Ｒ６は、一端が抵抗Ｒ５と接続し、他端がフォトカプラーＰｃの発光ダイオードＤｐに接続する。コンデンサーＣ３は、一端が抵抗Ｒ５と抵抗Ｒ６とのノードＰ２に接続し、他端が接地ライン６２ａに接続する。
【００５４】
本実施形態のスイッチング電源回路１０は、この遅延回路Ｋ３を具備することにより、省電力状態から通常状態に移行するときにスイッチング回路Ｋ１の省電力化を行うことができる。
【００５５】
図３は、電圧の時間変化の一例を示すタイミングチャートである。図３においてタイミングチャートＡは、ＰＳＣ信号の電圧の時間変化を示してる。また、タイミングチャートＢは、ＦＢ端子５１ａに印加されるフィードバック電圧の時間変化を示している。また、タイミングチャートＣは、トランジスターＱ１のゲート電圧の時間変化を示している。また、タイミングチャートＤは、出力電圧Ｖｏｕｔの時間変化を示している。なお、図３では、横軸が時刻で、縦軸が電圧である。
【００５６】
図３の説明では、スイッチング電源回路１０が遅延回路Ｋ３を具備していないものとする。また、図３の各タイミングチャートの開始時点では、プリンター１の動作状態が省電力状態または待機状態であり、ＰＳＣ信号により２次側回路５Ｂの出力電圧Ｖｏｕｔが低電圧であるとする。
【００５７】
図３のタイミングｔ１において、電源が投入されたとする。本実施形態において、電源投入とは、待機状態または省電力状態から通常状態への移行の指示があったことに相当する。本実施形態において電源投入とは、電源スイッチ１５１がオフであり（スイッチＳＷ２はオン）プリンター１が省電力状態である場合に、電源スイッチ１５１がオン（スイッチＳＷ２はオフ）になることや、プリンター１が待機状態である場合に入力部１５が通常状態への移行の指示を検出したこと等を意味する。
【００５８】
タイミングｔ１において電源が投入されると、スイッチＳＷ１、ＳＷ２の両方がオフになり、入力端子６３と接地端子６２との短絡状態が解消され、ＰＳＣ信号の電圧レベルは、「Ｌｏｗ」レベルから徐々に「Ｈｉｇｈ」レベルとなる。
【００５９】
ＰＳＣ信号の電圧レベルに応じて、発光ダイオードＤｐが発光するため、制御ＩＣ５１のＦＢ端子５１ａには、フィードバック電圧が印加される。「ＰＳＣ信号の電圧によってＦＢ端子５１ａに印加されるフィードバック電圧は、出力電圧Ｖｏｕｔを定電圧から通常状態出力電圧まで上昇させるために電圧値が高い。そのため、図３に示すように、タイミングｔ１以降、ＦＢ端子５１ａに印加されるフィードバック電圧は、電圧Ｖｆｂ１から電圧Ｖｆｂ２に向けて著しく上昇し、その後電圧Ｖｆｂ２となる。
【００６０】
ＦＢ端子５１ａにフィードバック電圧が印加されると、ソフトスタート回路５１１は、ソフトスタート機能によってスイッチング信号のパルス幅を徐々に広げながら、スイッチング信号の電圧を徐々に上昇させる。これにより、トランジスターＱ１のゲート電圧は、電圧Ｖｃ１から電圧Ｖｃ２まで上昇する。電圧Ｖｃ１は、省電力状態または待機状態におけるトランジスターＱ１のゲート電圧である。電圧Ｖｃ２は、通常状態におけるトランジスターＱ１のゲート電圧である。
【００６１】
タイミングｔ１以降、時間経過に伴ってスイッチング信号のオンのパルス幅が広くなるため、出力電圧Ｖｏｕｔは、電圧Ｖｏｕｔ１から電圧Ｖｏｕｔ２まで上昇する。電圧Ｖｏｕｔ１は、低電圧を示し、例えば２ボルトである。電圧Ｖｏｕｔ２は、通常状態出力電圧を示し、例えば４２ボルトである。なお、スイッチング信号のオンのパルス幅は、ＦＢ端子５１ａに印加されるフィードバック電圧の電圧値が高かれば高いほど広く、低ければ低いほど狭くなるようにソフトスタート回路５１１で設定される。
【００６２】
なお、なお、タイミングｔ２以降は、出力電圧Ｖｏｕｔが電圧Ｖｏｕｔ２となるように定電圧制御が行われる。
【００６３】
図３のように、電源投入時においてＦＢ端子５１ａに印加されるフィードバック電圧が著しく上昇すると、制御ＩＣ５１は、出力電圧Ｖｏｕｔを、低電圧から通常状態出力電圧まで一気に上昇させようとする。すなわち、制御ＩＣ５１は、出力電圧Ｖｏｕｔが通常状態出力電圧となるように、トランジスターＱ１にスイッチング動作を行わせようとする。しかし、トランジスターＱ１にはオンの動作を開始するためのゲート・ソース閾電圧が設けられており、トランジスターＱ１のゲート電圧が低いと、制御ＩＣ５１は、十分にトランジスターＱ１にスイッチング動作を行わせることができない。そのため、スイッチング信号の電圧が低い場合には、トランジスターＱ１が十分なオンオフの切り替えを行うことができず、ドレイン・ソース間での消費電力が増大するといった事態が発生し得る。また、ＦＢ端子５１ａに印加されているフィードバック電圧は、出力電圧Ｖｏｕｔを通常状態出力電圧電圧まで上昇させることを想定した電圧値である。そのため、ソフトスタート回路５１１で徐々にスイッチング信号のオンのパルス幅を広げているとは言え、出力されるスイッチング信号のオンのパルス幅では広すぎて、トランジスターＱ１のオンオフ切替時における消費電力がより増大する可能性がある。
【００６４】
そこで、上述したように、スイッチング電源回路１０は、遅延回路Ｋ３を具備することにより、図３に示す各電圧の時間変化は、図４に示すような時間変化となり、スイッチング回路Ｋ１の省電力化を行うことができる。
【００６５】
図４は、電圧の時間変化の一例を示すタイミングチャートである。図４においてタイミングチャートＡは、ＰＳＣ信号の電圧の時間変化を示している。また、タイミングチャートＢは、ＦＢ端子５１ａに印加されるフィードバック電圧の時間変化を示している。また、タイミングチャートＣは、トランジスターＱ１のゲート電圧の時間変化を示している。また、タイミングチャートＤは、出力電圧Ｖｏｕｔの時間変化を示している。なお、図４では、横軸が時刻で、縦軸が電圧である。
【００６６】
タイミングｔａにおいて電源が投入されたとする。すると、スイッチＳＷ１、ＳＷ２の両方がオフになり、入力端子６３と接地端子６２との短絡状態が解消され、ＰＳＣ信号の電圧レベルは、「Ｌｏｗ」レベルから徐々に「Ｈｉｇｈ」レベルになる。
【００６７】
ＰＳＣ信号の電圧レベルが「Ｈｉｇｈ」レベルになると、信号入力回路Ｋ２には、「Ｈｉｇｈ」レベルのＰＳＣ信号が入力されることになる。しかし、この電圧レベルのＰＳＣ信号の入力された直後、遅延回路Ｋ３のコンデンサーＣ３への電荷の蓄電が行われるため、タイミングｔａ以降、ＦＢ端子５１ａには、遅延回路Ｋ３を具備しない場合と比較して電圧値が低いフィードバック電圧が印加される。すなわち、図４では、ＦＢ端子５１ａには、電圧Ｖｆｂ２より低い電圧Ｖｆｂ３のフィードバック電圧が印加される。
【００６８】
ＦＢ端子５１ａに電圧値が低いフィードバック電圧が印加されると、この印加をトリガーとして、制御ＩＣ５１は、駆動する。すると、制御ＩＣ５１のソフトスタート回路５１１は、スイッチング信号のオンのパルス幅を、ＦＢ端子５１ａに印加されたフィードバック電圧に応じたパルス幅に設定しつつソフトスタート機能を開始する。
【００６９】
また、ソフトスタート回路５１１は、印加されるフィードバック電圧に基づいてスイッチング信号の電圧を設定し、タイミングｔａ以降、時間経過とともに上昇させる。これにより、トランジスターＱ１のゲート電圧は、タイミングｔａ以降上昇する。ここでＦＢ端子５１ａに印加されるフィードバック電圧は、遅延回路Ｋ３を具備しない場合より低い電圧である。そのため、ソフトスタート回路５１１は、遅延回路Ｋ３を具備しない場合と比較してスイッチング信号の電圧を低く設定する。これにより、トランジスターＱ１のゲート電圧は、タイミングｔａ以降、緩やかに上昇していく。
【００７０】
タイミングｔｂにおいて、遅延回路Ｋ３のコンデンサーＣ３に電荷が溜まりきったとする。すると、タイミングｔｂ以降、ＦＢ端子５１ａには、出力電圧Ｖｏｕｔを通常状態出力電圧まで上昇させるための、電圧値の高いフィードバック電圧が印加される。そのため、図４に示すように、タイミングｔｂ以降、ＦＢ端子５１ａに印加されるフィードバック電圧は、電圧Ｖｆｂ３から電圧Ｖｆｂ２に向けて著しく上昇し、その後電圧Ｖｆｂ２となる。
【００７１】
このＦＢ端子５１ａに対するフィードバック電圧の印加により、タイミングｔｂ以降、トランジスターＱ１のゲート電圧は、タイミングｔａからタイミングｔｂまでの上昇率より高い上昇率で、電圧Ｖｃ３から電圧Ｖｃ２に向けて上昇していく。また、ＦＢ端子５１ａに印加されるフィードバック電圧が上昇したため、スイッチング信号のオンのパルス幅が広がり、出力電圧Ｖｏｕｔは、トランジスターＱ１のゲート電圧と同様に、通常状態出力電圧に向けて上昇する。
【００７２】
図４のように、遅延回路Ｋ３によって、タイミングｔａからタイミングｔｂまでの期間、「Ｈｉｇｈ」レベルのＰＳＣ信号の入力が遅延される。そのため、この遅延期間、ＦＢ端子５１ａに印加されるフィードバック電圧の変化が遅延し、トランジスターＱ１のゲート電圧は、緩やかに上昇する。そして、この遅延期間の経過後、ソフトスタート回路５１１は、出力電圧Ｖｏｕｔが通常状態出力電圧になるように、スイッチング信号の電圧を高めることでトランジスターＱ１のゲート電圧をさらに高める。このように、スイッチング電源回路１０は、遅延回路Ｋ３を具備することで、遅延回路Ｋ３による遅延期間においてトランジスターＱ１のゲート電圧を、トランジスターＱ１のスイッチング動作に十分な電圧まで上昇させることが可能となる。そのため、当該ゲート電圧がスイッチング動作に十分な電圧になった後に、制御ＩＣ５１は、ゲート電圧を高めて、ＰＳＣ信号によるフィードバックに対応してトランジスターＱ１に十分なスイッチング動作を行わせ、出力電圧Ｖｏｕｔを通常状態出力電圧まで上昇させることが可能となる。したがって、省電力状態または待機状態においてスイッチング信号の電圧を低くしても、電源投入時におけるスイッチング回路Ｋ１のスイッチング動作が安定し、スイッチング回路Ｋ１での消費電力を抑制できる。したがって、スイッチング回路Ｋ１の省電力化を行うことができる。また、遅延期間において、ＦＢ端子５１ａには、電圧値が低いフィードバック電圧が印加されている。そのため、遅延期間は、遅延回路Ｋ３を具備しない場合のフィードバック電圧の上昇時と比較して、スイッチング信号のオンのパルス幅が狭い。したがって、スイッチング電源回路１０は、遅延期間におけるトランジスターＱ１のオンオフ切替時の消費電力を低減でき、よりスイッチング回路Ｋ１の省電力化を行うことができる。
【００７３】
また、省電力状態及び待機状態は、省電力化を図った動作状態である。省電力状態、或いは待機状態から通常状態に移行する際、トランジスターＱ１の消費電力を低下させることで、更なる省電力を図った動作状態とすることができる。
【００７４】
図２を参照して、スイッチング電源回路１０は、放電回路Ｋ４を具備する。放電回路Ｋ４は、ダイオードＤ１と、トランジスターＱ２と、抵抗Ｒ７、Ｒ８、Ｒ９とにより構成される。ダイオードＤ１は、フォトカプラーＰｃの発光ダイオードＤＰの並列に接続し、一端が出力ライン６１ａに接続し、他端が抵抗Ｒ９と接続する。トランジスターＱ２は、ｐｎｐ型のバイポーラトランジスターにより構成され、エミッターが出力ライン６１ａに接続し、ベースが抵抗Ｒ８の一端と接続し、コレクターが抵抗Ｒ９の一端と接続する。抵抗Ｒ７は、一端が出力ライン６１ａと接続し、他端がノードＰ３と接続する。抵抗Ｒ８は、一端がノードＰ３と接続し、他端が接地ライン６２ａと接続する。抵抗Ｒ９は、一端がダイオードＤ１のカソードと接続し、他端がトランジスターＱ２のコレクターと接続する。
【００７５】
トランジスターＱ２は、ベースに出力される電圧に基づき、オンオフの動作を実行する。ここでいうベースに出力される電圧とは、ノードＰ３の電圧である。ノードＰ３の電圧は、抵抗Ｒ７と抵抗Ｒ８とにより出力電圧Ｖｏｕｔが分圧された電圧で、トランジスターＱ２のベースとエミッターとの間の飽和電圧でクランプされる（以下、Ｐ３電圧と表現する）。トランジスターＱ２は、Ｐ３電圧が所定の電圧を上回る場合に、オンの動作を実行し、Ｐ３電圧が所定の電圧以下である場合に、オフの動作を実行する。このオンオフの動作の境目となるＰ３電圧を、以下の説明において「閾電圧」と表現する。このトランジスターＱ２のオンオフの動作の境目である閾電圧は、抵抗Ｒ７と抵抗Ｒ８との抵抗値により規定される。
【００７６】
トランジスターＱ２と、抵抗Ｒ７、Ｒ８、Ｒ９は、出力電圧Ｖｏｕｔが低いときに省電力にする回路である。ダイオードＤ１と、トランジスターＱ２と、抵抗Ｒ７、Ｒ８、Ｒ９とにより構成される放電回路は抵抗に置き換えることができる。ダイオードＤ１の代わりに抵抗とし、トランジスターＱ２と、抵抗Ｒ７、Ｒ８、Ｒ９はなくてもよい。出力電圧Ｖｏｕｔが低いとダイオードＤ１を介したコンデンサーＣ３の放電経路が形成されるため、コンデンサーＣ３に蓄えられる電荷は、放電される。これにより、プリンター１の動作状態が通常状態から待機状態または省電力状態に移行する際、コンデンサーＣ３には、電荷が蓄えられていない。したがって、プリンター１の動作状態が待機状態或いは省電力状態から通常状態に移行する際には、確実に遅延回路Ｋ３によって、ＦＢ端子５１ａに印加されるフィードバック電圧の変化を遅延させることができる。
【００７７】
以上、説明したように、プリンター１（印刷装置）は、スイッチング電源回路１０（電源回路）を備える。スイッチング電源回路１０は、スイッチング回路Ｋ１を備える１次側回路５Ａと、トランスＴＲにより１次側回路５Ａに結合され、負荷６に電力を供給する２次側回路５Ｂと、２次側回路５Ｂの出力電圧ＶｏｕｔとシャントレギュレーターＳＲ（基準電圧回路）の基準電圧との比較結果をスイッチング回路Ｋ１にフィードバックするフォトカプラーＰｃ（フィードバック回路）と、フォトカプラーＰｃにＰＳＣ信号（制御信号）を入力する信号入力回路Ｋ２（制御回路）と、プリンター１の電源投入時におけるスイッチング回路Ｋ１のスイッチング信号のパルス幅を設定するソフトスタート回路５１１と、ＰＳＣ信号を遅延させる遅延回路Ｋ３と、を備える。
【００７８】
この構成によれば、プリンター１の電源投入時におけるスイッチング回路Ｋ１へのフィードバックを遅延させることで、スイッチング信号が十分な電圧レベルになってからフィードバックに対応したスイッチング動作をスイッチング回路Ｋ１に行わせることができる。したがって、スイッチング信号の電圧を低くしても電源投入時のスイッチング動作が安定し、スイッチング回路での消費電力を抑制できる。したがって、スイッチング回路Ｋ１の省電力化を行うことができる。
【００７９】
また、スイッチング回路Ｋ１は、トランジスターＱ１（スイッチング素子）と、トランジスターＱ１にスイッチング信号を出力するスイッチング制御回路５１２とを備える。ソフトスタート回路５１１は、プリンター１の電源投入時におけるスイッチング信号の電圧を設定する。
【００８０】
この構成によれば、スイッチング信号の電圧レベルが、トランジスターＱ１のスイッチング動作に十分な電圧レベルになってからフィードバックに対応したスイッチング動作をトランジスターＱ１に行わせることができる。したがって、トランジスターＱ１での消費電力を抑制でき、スイッチング回路Ｋ１の省電力化を行うことができる。また、トランジスターＱ１での消費電力を抑制できるため、消費電力によるトランジスターＱ１への影響を抑制でき、トランジスターＱ１を保護できる。
【００８１】
また、フォトカプラーＰｃは、２次側回路５Ｂの出力電圧Ｖｏｕｔと基準電圧との比較結果に対応する電圧をスイッチング回路Ｋ１に出力する。遅延回路Ｋ３は、プリンター１の電源投入時に、フォトカプラーＰｃからスイッチング回路Ｋ１に出力される電圧の変化を遅延させる。
【００８２】
この構成によれば、プリンター１の電源投入時にフォトカプラーＰｃからスイッチング回路Ｋ１に出力される電圧の変化を遅延させることができるため、スイッチング信号の電圧レベルがスイッチング動作に十分な電圧レベルになるまでの期間を確実に確保できる。そのため、より確実に、スイッチング回路Ｋ１は、フィードバックに対応したスイッチング動作を行える。したがって、更なるスイッチング回路Ｋ１の省電力化を行うことができる。
【００８３】
また、信号入力回路Ｋ２は、プリンター１が省電力状態または待機状態に移行するときに、フォトカプラーＰｃからスイッチング回路Ｋ１に出力される電圧を低下させるようにＰＳＣ信号を出力する。
【００８４】
この構成によれば、フォトカプラーＰｃからスイッチング回路Ｋ１に出力される電圧を低下させるようにＰＳＣ信号を出力することで、容易にプリンター１を省電力状態または待機状態に移行させることができる。また、プリンター１が省電力状態または待機状態から復帰する際にスイッチング信号の電圧が低くても、スイッチング回路Ｋ１での消費電力を低減できる。そのため、省電力状態または待機状態において更なる省電力化を図ることができる。
【００８５】
なお、上述した実施形態は、あくまでも本発明の一態様を示すものであり、本発明の範囲内で任意に変形及び応用が可能である。
【００８６】
例えば、上述した実施形態では、制御ＩＣ５１がソフトスタート回路５１１とスイッチング制御回路５１２とを含んで構成されている場合を例示した。しかしながら、ソフトスタート回路５１１とスイッチング制御回路５１２とは、制御ＩＣ５１と別体に設けられていてもよい。
【００８７】
また、例えば、上述した実施形態では、スイッチング電源回路１０が、プリンター１に内蔵される電源回路として例示した。しかしながら、スイッチング電源回路１０は、例えば、ＡＣアダプター等のようなプリンター１の外部の装置に内蔵される電源回路であってもよい。この場合、ＰＳＣ信号は、プリンター１の外部に出力されることになる。このような場合でも、上述した効果と同様の効果を奏する。
【００８８】
また、例えば、上述した実施形態において、図２に示した回路構成は一例であって、図に示した回路素子を同数または異なる数のＩＣで置き換える等の構成変更が可能であり、本発明の範囲において任意に変更可能である。
【００８９】
また、図１に示した各機能部は構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した各実施形態においてソフトウェアで実現される機能の一部をハードウェアとしてもよく、或いは、ハードウェアで実現される機能の一部をハードウェアで実現してもよい。その他、プリンター１の他の各部の具体的な細部構成についても、本発明の趣旨を逸脱しない範囲で任意に変更可能である。
【００９０】
また、例えば、上述した実施形態において、プリンター１をインクジェットプリンターとして例示したが、これに限定されない。例えば、サーマルプリンターや、ドットインパクトプリンター、レーザープリンター等の他のプリンターでも本発明を適応できる。
【符号の説明】
【００９１】
１…プリンター（印刷装置）、２…商用交流電源、５Ａ…１次側回路、５Ｂ…２次側回路、６…負荷、１０…スイッチング電源回路（電源回路）、５１…制御ＩＣ、５１ａ…ＦＢ端子、５１ｂ…ＯＵＴ端子、５１ｃ…ＣＳ端子、６１…出力端子、６１ａ…出力ライン、６２…接地端子、６２ａ…接地ライン、６３…入力端子、６３ａ…信号入力ライン、５１１…ソフトスタート回路、５１２…スイッチング制御回路、Ｃ１…電解コンデンサー、Ｃ２…電解コンデンサー、Ｃ３…コンデンサー、Ｋ１…スイッチング回路、Ｋ２…信号入力回路（制御回路）、Ｋ３…遅延回路、Ｋ４…放電回路、Ｌ１…１次巻線、Ｌ２…２次巻線、Ｐｃ…フォトカプラー（フィードバック回路）、Ｑ１…トランジスター（スイッチング素子）、Ｑ２…トランジスター、Ｑｐ…フォトトランジスター、Ｒ１〜Ｒ９…抵抗、Ｓ１…整流回路、Ｓ２…整流素子、ＳＲ…シャントレギュレーター（基準電圧回路）、ＳＷ１…スイッチ、ＳＷ２…スイッチ、ＴＲ…トランス、Ｐ１〜Ｐ３…ノード。
【図１】
2019205220.tif 000003
【図２】
2019205220.tif 000004
【図３】
2019205220.tif 000005
【図４】
2019205220.tif 000006